(57)【要約】【課題】簡単な構成で操作器から撮像装置を制御し、補助データの重畳及び設定ができる撮影システムを提供する。【解決手段】操作器からの信号に応じて撮像装置を制御する制御信号を出力し、撮像装置から映像信号を受信し、操作器で指定した情報を映像信号に重畳して出力する、補助データ重畳装置は、操作器と通信する第１通信部と、撮像装置と通信する第２通信部と、撮像装置から受信した映像信号に補助データを重畳する信号処理部と、重畳した映像信号を出力する信号出力部と、第１通信部からの、重畳に関するフォーマット及び重畳する補助データの項目に関する情報を含む補助データ設定情報、を信号処理部に出力し、第１及び第２通信部からの信号のうち、映像信号に重畳する情報を補助データとして信号処理部に出力する制御部と、を備え、信号処理部は、補助データ設定情報に基づき、映像信号に制御部から入力された補助データを重畳する。【選択図】図１
2014072603.tif 000002
【特許請求の範囲】
【請求項１】
操作器からの信号に応じて撮像装置の動作を制御する制御信号を出力し、該撮像装置から映像信号を受信し、該操作器で指定された情報を該映像信号に重畳して出力する、補助データ重畳装置であって、
前記操作器と信号を送受信する第１の通信部と、
前記撮像装置と信号を送受信する第２の通信部と、
前記撮像装置から映像信号を受信し、該映像信号に補助データを重畳する映像信号処理部と、
前記映像信号処理部で補助データを重畳した映像信号を出力する映像信号出力部と、
前記第１の通信部からの、映像信号への補助データの重畳に関するフォーマット及び重畳する補助データの項目に関する情報を含む補助データ設定情報、を前記映像信号処理部に出力し、前記第１の通信部からの信号及び前記第２の通信部からの信号のうち、映像信号に重畳する情報を前記補助データとして前記映像信号処理部に出力する制御部と、
を備え、
前記映像信号処理部は、前記補助データ設定情報に基づいて、映像信号に前記制御部から入力された補助データを重畳する、
ことを特徴とする補助データ重畳装置。
【請求項２】
前記制御部は、前記第１の通信部から入力された前記撮像装置を制御するための制御信号を前記第２の通信部に出力する、ことを特徴とする請求項１に記載の補助データ重畳装置。
【請求項３】
外部機器と通信する第３の通信部を備え、
前記制御部が前記映像信号処理部に出力する前記補助データは、前記第１の通信部からの信号、前記第２の通信部からの信号及び該第３の通信部からの信号の中から設定される、
ことを特徴とする請求項１または２に記載の補助データ重畳装置。
【請求項４】
請求項１乃至３のいずれか１項に記載の補助データ重畳装置と、
前記第１の通信部と信号を送受信する操作器と、
前記第２の通信部と信号を送受信し、前記映像信号処理部に映像信号を出力する前記撮像装置と、
を備える撮影システム。
【請求項５】
前記操作器は、映像信号に重畳する情報の項目及び前記所定のフォーマットを設定する手段を備える、ことを特徴とする請求項４に記載の撮影システム。
【請求項６】
前記操作器は、映像信号に重畳する情報の項目及び前記所定のフォーマットを記憶する手段及び呼び出す手段、を備えることを特徴とする請求項４又は５に記載の撮影システム。
【請求項７】
前記補助データ重畳装置は、前記補助データ設定情報及び前記撮像装置の固有情報を記憶する記憶部を有し、
前記制御部は、前記第１の通信部を介した前記操作器からのコマンドに応じて、該記憶部に記憶されている該補助データ設定情報及び該撮像装置の固有情報を、該第１の通信部を介して前記操作器に出力する、
ことを特徴とする請求項４乃至６のいずれか１項に記載の撮影システム。
【請求項８】
前記制御部は、前記第１の通信部を介した前記操作器からのコマンドに応じて、補助データとして映像信号に重畳可能な情報の項目を、該第１の通信部を介して前記操作器に出力する、
ことを特徴とする請求項４乃至７のいずれか１項に記載の撮影システム。
【請求項９】
前記撮像装置は、ズーム、パン及びチルトの機能を備え、前記撮像装置の動作は、ズーム、ゲイン、シャッター速度、パンニング、チルティングを含む、請求項４乃至８のいずれか１項に記載の撮影システム。
【発明の詳細な説明】
【技術分野】
【０００１】
本発明は、補助データ重畳装置に関し、特に、遠隔から撮像装置を制御する操作器から指定された情報を撮像装置からの映像信号に重畳して出力する補助データ重畳装置、及びそれを備える撮影システムに関するものである。
【背景技術】
【０００２】
テレビ放送局では、放送局内での使用目的のためにテレビカメラから出力される映像信号のブランキング領域に機器ＩＤや映像素材に関する情報（撮影日時、レンズデータ、カメラデータ等）の補助データを重畳することが行われている。
特許文献１では、撮像装置のＣＣＵ（カメラ・コントロール・ユニット）から出力される映像信号に、撮像装置からのメタデータ（レンズ設定メタデータやＰＣからのシーン情報メタデータ等）を重畳するメタデータ付加装置が開示されている。
【先行技術文献】
【特許文献】
【０００３】
【特許文献１】特開２００４−３１２２８１号公報
【発明の概要】
【発明が解決しようとする課題】
【０００４】
テレビ放送局には、遠隔に設置された撮像装置（電動雲台付きカメラ）を、編集室などに設置された操作器（コントローラ）を操作して被写体を撮影し、撮影映像を天気予報やニュース等で放送するリモコン撮像装置システムがある。
【０００５】
図８は、リモコン撮像装置システムの概略図である。撮像装置１０は、ズーミングやフォーカシング機能等を有する撮影レンズ付きのカメラ１と、パンニング（横方向の駆動）及びチルティング（縦方向の駆動）等の旋回動作が可能な電動雲台２から構成されている。
【０００６】
操作器３０は、撮像装置１０とケーブルで接続され、カメラ１のズーム、ゲイン、シャッター等のカメラ制御、電動雲台２のパンニング、チルティング等の旋回動作をさせる制御信号を撮像装置１０に送信している。また、操作器３０は、撮像装置１０から送信されるカメラ１のズーム、フォーカス等のレンズ位置情報、カメラ設定情報、電動雲台２のパン、チルトの角度情報等の補助データを受信し、操作器３０の表示部に表示できるようになっている。
【０００７】
図９は、上述したリモコン撮像装置システムに、特許文献１で開示されているようなメタデータ付加装置５０を組み合わせた構成図である。撮像装置１０には、操作器３０と信号の送受信を行う既存のインタフェースの他に、メタデータを出力する出力部６０が必要となり、既存の撮像装置に組み合わせることが出来ない。また、メタデータ付加装置５０の設定にＰＣも必要となり、構成が複雑かつコストアップとなる。
【０００８】
本発明の目的は、上述の問題点を解消し、簡単な構成で操作器から既存の撮像装置の制御が可能、かつ、補助データ（メタデータ）の重畳及び設定ができる補助データ重畳装置及びそれを備える撮影装置システムを提供することである。
【課題を解決するための手段】
【０００９】
上記目的を達成するための本発明の補助データ重畳装置は、操作器からの信号に応じて撮像装置の動作を制御する制御信号を出力し、該撮像装置から映像信号を受信し、該操作器で指定された情報を該映像信号に重畳して出力する、補助データ重畳装置であって、前記操作器と信号を送受信する第１の通信部と、前記撮像装置と信号を送受信する第２の通信部と、前記撮像装置から映像信号を受信し、該映像信号に補助データを重畳する映像信号処理部と、前記映像信号処理部で補助データを重畳した映像信号を出力する映像信号出力部と、前記第１の通信部からの、映像信号への補助データの重畳に関するフォーマット及び重畳する補助データの項目に関する情報を含む補助データ設定情報、を前記映像信号処理部に出力し、前記第１の通信部からの信号及び前記第２の通信部からの信号のうち、映像信号に重畳する情報を前記補助データとして前記映像信号処理部に出力する制御部と、を備え、前記映像信号処理部は、前記補助データ設定情報に基づいて、映像信号に前記制御部から入力された補助データを重畳する、ことを特徴とする。
【発明の効果】
【００１０】
上記の本発明の構成を備える補助データ重畳装置及びそれを備える撮影装置システム、簡単な構成で操作器から既存の撮像装置の制御が可能、かつ、補助データ（メタデータ）の重畳及び設定を可能ならしめる、という効果を奏するものである。
【図面の簡単な説明】
【００１１】
【図１】実施例１の構成図である。
【図２】実施例１の撮像装置１０の構成図
【図３】実施例１のＣＰＵ２０２の内部処理のフローチャート図
【図４】実施例１の操作器３０の構成図
【図５】実施例１の操作器３０の補助データ設定画面例
【図６】実施例２の構成図
【図７】実施例２の操作器３０の補助データ設定画面例
【図８】撮影システムの概略図
【図９】撮影システムにメタデ−タ付加装置を組み合わせた概略図
【発明を実施するための形態】
【００１２】
本発明の補助データ重畳装置及びそれを備える撮影システムの実施例を添付の図に基づいて詳細に説明する。
【実施例１】
【００１３】
≪撮影システムの全体構成≫
図１は本発明の第１の実施例である補助データ重畳装置を含む撮影システムの構成図である。本実施形態の撮影システムは撮像装置を遠隔操作するリモコン撮影システムであって、操作器を使用して遠隔から撮像装置を制御して被写体を撮影するシステムである。本実施形態のシステムは、撮像装置１０、補助データ重畳装置２０、操作器３０から構成される。
【００１４】
撮像装置１０は、ズーミングやフォーカシングの機能等を有する撮影レンズ付きのカメラ１と、パンニング（横方向の駆動）及びチルティング（縦方向の駆動）等の旋回動作が可能な電動雲台２から構成されている。
【００１５】
操作器３０は、ズーミングや画像のゲイン調整等のカメラ１の各種制御、パンニングやチルティング等の電動雲台２の各種制御が行えるようになっている。また、補助データ重畳装置２０の設定、制御も行えるようになっている。
【００１６】
補助データ重畳装置２０は、操作器３０と撮像装置１０と接続し、制御信号、データ信号の送受信を行う。具体的には、操作器３０から撮像装置１０を制御する制御信号は、補助データ重畳装置２０を経由して、撮像装置１０へ送信される。また、カメラ１、電動雲台２からの送信信号、具体的には、操作器３０からの制御信号に対して返答するアンサー信号や、アラーム信号等も補助データ重畳装置２０を経由して操作器３０へ送信される。補助データ重畳装置２０は、さらに、カメラ１から出力される映像信号３を受信し、操作器３０によって設定された、カメラ１、電動雲台２、操作器３０からの補助データを重畳して出力する。補助データとして具体的には、カメラ１の焦点距離、絞り等のレンズ情報データ、カメラ１のゲイン、シャッター等のカメラ設定データ、電動雲台２のパン、チルト角などの雲台角度データ、操作器３０から設定されたカメラ設置場所情報等が設定される。
【００１７】
なお、本実施例では、撮像装置１０には電動雲台２が構成されているが、電動雲台２が構成されていないカメラ１のみの装置でもかまわない。また、補助データ重畳装置２０は、撮像装置１０から離れた遠隔地、例えば、放送局内に設置されていてもよいし、撮像装置１０の内部に構成されていてもかまわない。
次に上述した各装置について詳細に説明する。
【００１８】
≪撮像装置１０≫
図２は、撮像装置１０の構成図である。撮像装置１０は、光学ブロック１０１、レンズ駆動部１０２、撮像部１０３、映像信号処理部１０４、映像信号出力部１０５、ＣＰＵ１０６、パン・チルト駆動部１０７、送受信部１０８から構成されている。
【００１９】
光学ブロック１０１は、ズーム用、フォーカス用の複数枚のレンズと絞り等から構成され、被写体からの光を撮像部１０３に入射させる。
【００２０】
レンズ駆動部１０２は、光学ブロック１０１のズーム用レンズ、フォーカス用レンズ、絞り等をＣＰＵ１０６からの指令信号に応じて駆動する。また、レンズ駆動部１０２には、エンコーダ、ポテンショメータ等の位置センサ（図示せず）が搭載され、ＣＰＵ１０６に現在のレンズ、絞りのレンズ情報データをＣＰＵ１０６に出力する。
【００２１】
撮像部１０３は、光学ブロック１０１からの被写体からの光をＣＣＤやＣＭＯＳセンサー等の撮像素子（図示せず）で受光し、光電変換し、アナログ映像信号として出力する。
【００２２】
映像信号処理部１０４は、撮像部１０３からのアナログ映像信号をデジタル変換し、ゲイン、輝度、色等をＣＰＵ１０６からの指令信号に応じて調整しデジタル映像信号として映像信号出力部１０５へ出力する。
【００２３】
映像信号出力部１０５は、所定の映像フォーマット、例えばＳＭＰＴＥ（Society of Motion Picture and Television Engineers：米国映画テレビ技術者協会）、ＡＲＩＢ（Association of Radio Industries and Broadcast：社団法人電波産業会）で規定されているＨＤ-ＳＤＩ信号等に変換して出力する。
【００２４】
パン・チルト駆動部１０７は、ＣＰＵ１０６からの指令信号に応じて電動雲台２をパン方向、チルト方向に駆動する。また、パン・チルト駆動部１０７には、エンコーダ、ポテンショメータ等の位置センサ（図示せず）が搭載され、現在の電動雲台２のパン、チルト角度情報データをＣＰＵ１０６に出力する。
【００２５】
ＣＰＵ１０６は、レンズ駆動部１０２、撮像部１０３、映像信号処理部１０４、パン・チルト駆動部１０７、送受信部１０８と各々接続され、各部の設定や制御、上述したカメラ設定情報、レンズ情報データ、雲台角度情報データ等の送受信を行っている。
【００２６】
送受信部１０８は、ＲＳ-２３２やＲＳ-４２２等の所定の通信プロトコルで他の装置と信号の送受信を行うためのインタフェースである。本実施例では補助データ重畳装置２０と信号の送受信を行っている。補助データ重畳装置２０を使用しない場合は、操作器３０や他の装置、モデムやＲＳ-４２２/２３２変換装置等と接続できるインタフェースとなっている。
【００２７】
≪補助データ重畳装置２０≫
次に、補助データ重畳装置２０に関して図１を用いて説明する。補助データ重畳装置２０は、映像信号処理部２０１、ＣＰＵ２０２（制御部）、撮像装置側送受信部２０３（第２の通信部）、操作器側送受信部２０４（第１の通信部）、メモリ２０５（記憶部）、映像信号出力部２０６から構成されている。尚、「補助データ」は、ＡＲＩＢ  ＴＲ−Ｂ２３において、「デジタルインターフェースにおいて、映像信号のブランキング期間を用いて伝送される各種の信号をいう」と、定義されていることに準じ、本明細書内においても映像信号に重畳する情報を指してこの用語を用いることとする。
【００２８】
映像信号処理部２０１は、撮像装置１０からの映像信号３（本実施例ではＨＤ-ＳＤＩ信号）をパラレル変換し、ＣＰＵ２０２からの補助データ設定情報に基づいてＣＰＵ２０２から出力された補助データを重畳する。すなわち、映像信号処理部２０１は、補助データ設定情報に基づき、重畳することが指定された補助データを、指定された順序で指定された映像信号内の位置に（指定されたフォーマットで）、重畳する。補助データ設定情報とは、補助データを重畳する映像信号３のライン番号、ＳＭＰＴＥやＡＲＩＢで規定されている補助データパケットに付加するＡＤＦ(補助データフラグ)、ＤＩＤ（データ識別ワード）、ＳＤＩＤ（第２データ識別ワード）等である。また、補助データ設定情報には、後述する補助データの項目のうち、どの項目を重畳するかの重畳項目フラグ情報も含まれる。ＣＰＵ２０２から出力される補助データとは、撮像装置１０からのレンズ情報データ、カメラ設定情報、電動雲台２の雲台角度情報データ、操作器３０で設定されて補助データ重畳装置２０に出力されるカメラ設置場所情報やコメント情報等である。
【００２９】
映像信号出力部２０６は、映像信号処理部２０１で映像信号に補助データが重畳されたパラレル信号をシリアル信号に変換し補助データが重畳された映像信号４、例えば、ＨＤ-ＳＤＩ信号として出力する。
【００３０】
撮像装置側送受信部２０３は、ＲＳ-２３２やＲＳ-４２２等の所定の通信プロトコルで、撮像装置１０と信号の送受信を行うための通信インタフェースである。操作器側送受信部２０４は、ＲＳ-２３２やＲＳ-４２２等の所定の通信プロトコルで、操作器３０と信号の送受信を行うための通信インタフェースである。
【００３１】
補助データ重畳装置２０は、撮像装置側送受信部２０３、操作器側送受信部２０４を備えていることで既存の撮像装置１０、操作器３０の間に挿入して接続可能である。また、他の装置、モデムやＲＳ-４２２/２３２変換装置を、撮像装置１０と補助データ重畳装置２０の間、操作器３０と補助データ重畳装置２０の間に挿入することも可能である。なお、本実施例では、補助データ重畳装置２０を、撮像装置１０の外部に構成したが、撮像装置１０の内部に構成してもよい。
【００３２】
補助データ重畳装置２０のＣＰＵ２０２は、映像信号処理部２０１、撮像装置側送受信部２０３、操作器側送受信部２０４、メモリ２０５、映像信号出力部２０６と接続され、各部の設定や制御を行う。ここで、本実施例で特徴的であるＣＰＵ２０２の内部処理のフローに関して図３を参照しながら説明する。
【００３３】
ＣＰＵ２０２は、撮像装置側送受信部２０３を介して撮像装置１０から送信される信号、及び、操作器側送受信部２０４を介して操作器３０から送信される信号（コマンド）を受信する（ステップＳ１）。
【００３４】
次に、ステップＳ２において、撮像装置１０から信号を受信した場合はステップＳ１０に進み、操作器３０から信号（コマンド）を受信した場合はステップＳ３に進む。
【００３５】
ステップＳ３では、操作器３０から受信した信号（コマンド）の種別を判断する。撮像装置１０を制御する制御コマンドの場合はステップＳ４に進み、補助データ重畳装置２０に設定する補助データ設定コマンドの場合はステップＳ５に進み、補助データ重畳装置２０に設定されている補助データ設定情報の返信を要求する補助データステータスコマンドの場合はステップＳ６に進む。
尚、本フローでは、撮像装置１０を制御する制御コマンドの場合は、ステップＳ４に進んでいるが、ステップＳ４と同時に、後述するステップＳ１２に進み、重畳する項目の制御コマンドを補助データとして、補助データ重畳装置２０で重畳するようにしても良い。これにより、撮像装置１０がレンズ情報データ、カメラ設定情報、電動雲台２の雲台角度情報データ等を出力する機能がない場合でも、撮像装置１０の状態を把握することが可能となる。
【００３６】
ここで、制御コマンドとは、具体的には、カメラ１のズーミング、フォーカシング等のレンズ制御、ゲイン、シャッター等のカメラ制御、パンニング、チルティング等の電動雲台２を制御するコマンドである。補助データ設定コマンドとは、前述した補助データ設定情報、カメラ設置場所情報、コメント情報、重畳項目フラグ情報等を設定するコマンドである。補助データステータスコマンドとは、現在重畳されている補助データの項目、設定情報等の情報の返信を要求するコマンドである。
【００３７】
ステップＳ４では、撮像装置側送受信部２０３に制御コマンドを出力し、ステップＳ１に戻る。
【００３８】
ステップＳ５では、メモリ２０５へ補助データ設定情報を書き込み、ステップＳ７へ進む。ステップＳ７では、映像信号処理部２０１へ補助データ設定情報を出力した後、ステップＳ１へ戻る。
【００３９】
ステップＳ６では、メモリ２０５から補助データ設定情報、及び、撮像装置の固有情報であるカメラ設置場所情報やコメント情報等を読み出し、ステップＳ８へ進む。ステップＳ８では、読み出した情報を操作器側送受信部２０４へ出力し、ステップＳ１へ戻る。また、補助データステータスコマンドを受信した時は、撮像装置１０から入力された補助データの項目を認識し、重畳可能な補助データの項目を操作器側送受信部２０４へ出力してもよい。これにより、撮像装置１０が出力できる補助データの項目が事前に分からない時に、操作器３０で確認することが可能となる。
【００４０】
ステップＳ１０では、撮像装置１０から受信した信号を、操作器３０へ送信するために操作器側送受信部２０４へ出力し、ステップＳ１１へ進む。ステップＳ１１では、撮像装置１０から受信した信号が、補助データ情報か否か、具体的には、レンズ情報データ、カメラ設定情報、電動雲台２の雲台角度情報データ等である否か、を判断する。受信コマンドが補助データ情報の場合はステップＳ１２に進む。ステップＳ１１において、補助データ情報でない場合、例えば、操作器からの制御コマンドに対するアンサーバックや撮像装置１０からのアラーム信号等である場合は、ステップＳ１に戻る。
【００４１】
ステップＳ１２では、どのデータを重畳するかの情報を含む重畳項目フラグ情報と受信した補助データ情報とを比較して、受信した補助データ情報が重畳する項目の場合は、当該補助データ情報を映像信号処理部２０１へ出力し（ステップＳ１３）、ステップＳ１に戻る。受信した補助データ情報が重畳する項目でない場合は、映像信号処理部２０１へ補助データ情報を出力することなく、ステップＳ１に戻る。
【００４２】
このように、図３を参照しながら述べたフローに従って、ＣＰＵ２０２は、受信したコマンドに応じて適宜、撮像装置側送受信部２０３、操作器側送受信部２０４、映像信号処理部２０１、メモリ２０５へデータやコマンドを出力すべきか否かを判断している。
【００４３】
以上説明してきたように補助データ重畳装置２０は、撮像側送受信部２０３、操作器側送受信部２０４を備え、ＣＰＵ２０２で撮像装置１０または操作器３０から入力された信号を識別し、ケースに応じた情報やコマンドを送信すべき構成部に出力している。これにより、本発明の補助データ多重装置を、既存の撮像装置や操作器と組み合わせて、操作器から撮像装置の制御や、撮像装置、操作器からの補助データを撮像装置からの映像信号に重畳して出力することが可能となる。
【００４４】
≪操作器３０≫
次に、操作器３０に関して図４を用いて説明する。操作器３０は、操作パネル部３０１、ＣＰＵ３０２、送受信部３０３、メモリ３０４、タッチパネル付き表示部３０５から構成されている。
【００４５】
操作パネル部３０１は、カメラ１のズーム、フォーカス等のレンズ制御、ゲイン、シャッター速度等のカメラ制御を行う複数のハードキー（図示せず）と、電動雲台２をパンニング、チルティングするためのジョイスティックや十字キー等（図示せず）の操作部材で構成されている。
【００４６】
ＣＰＵ３０２は、操作パネル部３０１と接続され、操作パネル部３０１の操作部材で操作された信号を受信し、送受信部３０３を介して他の装置、本実施例では補助データ重畳装置２０にカメラ１、電動雲台２の制御信号（コマンド）を送信する。また、補助データ重畳装置２０から送信されてきたカメラ１、電動雲台２からのレンズデータ、カメラ設定情報、電動雲台２の雲台角度情報等の補助データを受信し、表示部３０５に表示している。さらに、ＣＰＵ３０２は、表示部３０５のタッチパネルから設定された補助データ設定情報を補助データ重畳装置２０へ送信している。
【００４７】
図５は、補助データ設定情報を設定する設定画面例である。図５の表示画面例のように、補助データを重畳する映像信号のライン番号、補助データパケットに付加するＤＩＤ（データ識別ワード）、ＳＤＩＤ（第２データ識別ワード）、カメラ設置場所情報、コメント情報、重畳項目有無等が設定出来るようになっている。特に、重畳したい補助データ項目の選択ができることにより、補助データ重畳装置２０から出力される映像信号４を利用するシステムに応じて重畳項目を容易に変更することが可能となる。例えば、撮影映像の地名を表示したいシステムの場合は、図５のカメラ設置場所名の欄の左欄の重畳有無を「有」に設定にすれば良い。また、電子地図上で現在の撮影範囲を表示したい場合は、図５のパン・チルトデータ、ズーム、フォーカス、エクステンダーの左欄の重畳有無を「有」と設定すれば良い。別の方法として、補助データ重畳装置２０が、操作器３０からのコマンドを受信した時のみ、補助データを重畳するようにして補助データ重畳装置２０のＣＰＵ２０２の負荷を軽減するようにしても良い。
【００４８】
メモリ３０４は、カメラ１の設定データや、補助データ重畳装置２０の補助データ設定情報、操作器３０の設定情報等を記憶する。本実施例では、図５の補助データ設定画面で設定された補助データ設定情報をファイル化し、メモリ３０４に補助データ設定情報ファイルとして複数保存できるようにしてある。そして、必要に応じて表示部３０５のタッチパネルを操作して、メモリ３０４から所望の補助データ設定情報ファイル読み出し、補助データ重畳装置２０へ補助データ設定情報を送信している。
【００４９】
一方、補助データ重畳装置２０のメモリ２０５に設定した補助データ設定情報を、操作器３０から補助データステータスコマンドを送信することで取得し、表示部３０５に表示することも行っている。
【００５０】
送受信部３０３は、補助データ重畳装置２０とＲＳ-２３２やＲＳ-４２２等の所定の通信プロトコルで送受信するためのインタフェースである。補助データ重畳装置２０を使用しない時は、撮像装置１０や他の装置、モデムやＲＳ-４２２/２３２変換装置等と接続可能なインタフェースとなっている。
【００５１】
以上説明してきたように操作器３０は、撮像装置１０の制御を行うだけの操作器だけではなく、補助データ重畳装置２０に補助データの設定を行う機能も兼備している。これにより、補助データ重畳装置２０の設定を行うためのＰＣが不要となる。
【実施例２】
【００５２】
実施例１では、撮像装置１０、補助データ重畳装置２０、操作器３０が接続されたシステムであったが、実施例２では、他の外部機器４０を接続できるようにしたことが実施例１とは異なる。また、操作器３０に補助データ重畳装置２０が外部機器４０とデータの送受信を行うための通信フォーマットの設定項目を新たに設けたことも実施例１と異なる。
【００５３】
図６は、気象計（温度計、湿度計、気圧計、風向風速計、雨量計）などの他の外部機器４０を補助データ重畳装置２０に接続できるようにしたシステムの構成図である。補助データ重畳装置２０に外部機器用送受信部２０７（第３の通信部）が新たに構成された以外は図１と同じであり、実施例１と異なる箇所のみ以下に説明する。
【００５４】
図６において、外部機器用送受信部２０７は、外部機器４０とＲＳ-２３２やＲＳ-４２２等の所定の通信プロトコルで送受信するためのインタフェースである。外部機器４０から入力されたデータは、ＣＰＵ２０２に出力される。ＣＰＵ２０２では、外部機器からのコマンドと判断し、映像信号処理部２０１に送信する。映像信号処理部２０１では、ＣＰＵ２０２の補助データ設定情報に基づいて外部機器４０からのデータを映像信号３に重畳する。
【００５５】
操作器３０では、ＣＰＵ２０２が外部機器４０と通信を行うために、図５の補助データ設定画面に図７のような通信フォーマット設定項目を新たに設けている。具体的には、ボーレート、データ長、パリティ有無、ストップビット等が設定できるようになっている。また、外部機器４０からのデータを重畳するか否かの重畳有無の設定項目も追加になっている。
【００５６】
本実施例では、補助データ重畳装置２０に外部機器との送受信部を一つだけ構成しているが、複数の送受信部を設け、操作器３０に複数の外部機器との通信フォーマット設定項目を設けてもかまわない。
【００５７】
以上説明してきたように、本実施例２では、補助データ重畳装置２０に外部機器との送受信部２０７を新たに構成し、操作器３０には、外部機器との通信フォーマットを設定できるようにした。これにより、補助データ重畳装置２０は、撮像装置１０、操作器３０の補助データを重畳するだけではなく、他の外部機器のデータも補助データとして映像信号に重畳出来るようになりシステム拡張も容易となる。
【符号の説明】
【００５８】
３  映像信号
１０  撮像装置
２０  補助データ重畳装置
３０  操作器
２０１  映像信号処理部
２０２  ＣＰＵ（制御部）
２０３  撮像装置側送受信部（第２の通信部）
２０４  操作器側送受信部（第１の通信部）
２０６  映像信号出力部
【図１】
2014072603.tif 000003
【図２】
2014072603.tif 000004
【図３】
2014072603.tif 000005
【図４】
2014072603.tif 000006
【図５】
2014072603.tif 000007
【図６】
2014072603.tif 000008
【図７】
2014072603.tif 000009
【図８】
2014072603.tif 000010
【図９】
2014072603.tif 000011